(57)【要約】【課題】  遊技者の興味を引く興趣性に優れた遊技機の提供を目的とする。【解決手段】  このパチンコ機は、遊技球Ｂが揺動可能である第１，第２ステージ２９，３０に、導入されて揺動している遊技球Ｂを排出する排出部（第１，第２開口部３７，３８、排出口６０）を備えているので、ステージ２９，３０において遊技球Ｂが揺動されて排出部から排出される。遊技者はそのステージ２９，３０での遊技球Ｂの挙動を視認できる。つまり、遊技球Ｂは揺動しながら排出部から排出されるため、遊技球Ｂの排出方向範囲はある広がりを持ったものとなり、種々の排出経路を取り得ることから、遊技者はステージ２９，３０での遊技球Ｂの挙動について退屈感を抱くこと無く楽しむことができる。その結果、興趣性を向上させた遊技機を提供できる。【選択図】        図３
2004160190.tif 000002
【特許請求の範囲】
【請求項１】
遊技球が揺動可能である揺動面を備えた遊技機において、
前記揺動面は複数個設けられており、かつ、前記複数個の揺動面のうちの少なくとも一つの揺動面は、導入されて揺動している遊技球を排出するための排出部を有することを特徴とする遊技機。
【請求項２】
請求項１に記載の遊技機において、
前記複数個の揺動面は、それらの揺動面を特定の順番に遊技球が進行していくように関連付けて接続されていることを特徴とする遊技機。
【請求項３】
請求項２に記載の遊技機において、
前記複数個の揺動面は、前記の特定の順番に従って小さくなっていることを特徴とする遊技機。
【請求項４】
請求項２または請求項３に記載の遊技機において、
前記複数個の揺動面は、上下方向に並設されていることを特徴とする遊技機。
【請求項５】
請求項１ないし請求項４のいずれかに記載の遊技機において、
前記排出部を備えた複数個の揺動面のうちの少なくとも１つの揺動面は、この揺動面の前記排出部を介さずに遊技球が排出されることがないように隔壁部を備えていることを特徴とする遊技機。
【発明の詳細な説明】
【技術分野】
【０００１】
この発明は、パチンコ機等の遊技機に関する。
【背景技術】
【０００２】
従来、遊技機の代表例としてはパチンコ機がある。このパチンコ機は、始動口に球が入賞したことに起因して、図柄変動表示装置（可変表示装置）としての液晶表示装置の表示画面上に表示された所定列の図柄を変動表示させ、その変動表示が停止した結果が所定の表示態様となった場合に大当り状態となるものがある。また、この可変表示装置の表示画面の周囲を囲むようにして樹脂製のセンターフレームが設けられている。
【０００３】
このセンターフレームは、上部に位置する天井部、左右両側部及び下部とからなっており、天井部には、遊技球を左右側方へ案内するための天導面が設けられているとともに、遊技球を下部へ案内するための入口部が設けられている。また、下部には、ステージが形成されている。さらに、左右両側部には、前記入口部とステージとを連通する遊技球通路（ワープルートとも称される）が設けられている。
【０００４】
そして、遊技球が前記入口に入った場合、該遊技球は前記遊技球通路を通ってステージの方へと案内される。ステージに案内された遊技球は左右往復動を数回した後、やがてステージから前方へ落下し、再度遊技盤面上へと排出される。このとき、ステージから落下した遊技球のうち、何個かに１個はステージの直下方に設けられた作動口へと入賞する。つまり、遊技者は、遊技球が入口部に入ってからステージから落下して作動口の方へと導かれるまでの間、遊技球が作動口に入賞するのではという期待感をもって、遊技球の挙動を見守ることとなる（特許文献１参照）。
【特許文献１】特開２００１−３８０１０号公報
【発明の開示】
【発明が解決しようとする課題】
【０００５】
しかしながら、このような構成を有する従来例の場合には、次のような問題がある。
【０００６】
すなわち、従来のパチンコ機では、前記ステージにおいては、幅方向の中央部分が最も低い位置にあるのが一般的であり、遊技球は通常この中央部分又はその近傍から手前側に落下するようになっていた。このため、ステージに案内されてから落下するまでの間、どの遊技球も似たような挙動を示し、ひいては遊技者に退屈感を抱かせてしまうおそれがある。その結果、興趣の低下を招いてしまうおそれがあるという問題がある。
【０００７】
本発明は、このような事情に鑑みてなされたものであって、遊技者の興味を引く興趣性に優れた遊技機を提供することを目的とする。
【課題を解決するための手段】
【０００８】
本発明は、このような目的を達成するために、次のような構成を採る。
【０００９】
すなわち、請求項１に記載の発明は、遊技球が揺動可能である揺動面を備えた遊技機において、前記揺動面は複数個設けられており、かつ、前記複数個の揺動面のうちの少なくとも一つの揺動面は、導入されて揺動している遊技球を排出するための排出部を有することを特徴とするものである。
【００１０】
（作用・効果）請求項１に記載の発明によれば、遊技球が揺動可能である揺動面を備えた遊技機において、揺動面は複数個設けられており、かつ、この複数個の揺動面のうちの少なくとも一つの揺動面は、導入されて揺動している遊技球を排出するための排出部を有するので、所定の揺動面において遊技球は揺動されて排出部から排出される。したがって、遊技者は、当該揺動面において遊技球が揺動されて排出部から排出されるという遊技球の挙動を視認できる。つまり、遊技球は当該揺動面において揺動されて排出部から排出されるため、遊技球の排出方向範囲はある広がりを持ったものとなり、種々の排出経路を取り得ることから、遊技者は複数個の揺動面における遊技球の挙動について退屈感を抱くこと無く楽しむことができる。その結果、興趣性を向上させた遊技機を提供できる。
【００１１】
なお、本明細書は、次のような遊技機に係る発明も開示している。
【００１２】
（１）  請求項１に記載の遊技機において、
前記複数個の揺動面は、それらの揺動面を特定の順番に遊技球が進行していくように関連付けて接続されていることを特徴とする遊技機。
【００１３】
前記（１）に記載の発明によれば、複数個の揺動面は、それらの揺動面を特定の順番に遊技球が進行していくように関連付けて接続されているので、それらの揺動面を遊技球が揺動しながら順次に進行していく。つまり、遊技球が一方の揺動面で揺動されて排出されて他方の揺動面に導入され、この遊技球は他方の揺動面においても揺動されて外へ排出される。したがって、遊技球は所定の揺動面において揺動されて排出部から排出されるため、当該揺動面での遊技球の排出方向範囲はある広がりを持ったものとなり、当該揺動面で種々の排出経路を取り得ることから、遊技者は、複数個の揺動面を揺動しながら進行していくという一連の遊技球の挙動について退屈感を抱くこと無く楽しむことができる。その結果、興趣性を向上させた遊技機を提供できる。
【００１４】
（２）  前記（１）に記載の遊技機において、
前記複数個の揺動面は、前記の特定の順番に従って小さくなっていることを特徴とする遊技機。
【００１５】
前記（２）に記載の発明によれば、複数個の揺動面は、これらの揺動面についての遊技球が通過する順番に従って小さくなっているので、遊技球が次の揺動面に進行するに従って、遊技球の排出方向範囲は徐々に狭くなっていき、最後の揺動面の排出部から所望の方向に遊技球が排出されるのではないかという期待感も徐々に高まっていくことから、さらにワクワク感を持って遊技を楽しむことができる。その結果、興趣性をさらに向上させた遊技機を提供できる。
【００１６】
（３）  前記（１）または（２）に記載の遊技機において、
前記複数個の揺動面は、上下方向に並設されていることを特徴とする遊技機。
【００１７】
前記（３）に記載の発明によれば、複数個の揺動面は上下方向に並設されており、この上下方向に並設された複数個の揺動面は、それらの揺動面を特定の順番に遊技球が進行していくように関連付けて接続されているので、それらの揺動面を遊技球が揺動しながら順次に進行していく。つまり、遊技球が一方の揺動面で揺動されて排出されて他方の揺動面に導入され、この遊技球は他方の揺動面においても揺動されて外へ排出される。したがって、遊技球は所定の揺動面において揺動されて排出部から排出されるため、当該揺動面での遊技球の排出方向範囲はある広がりを持ったものとなり、当該揺動面で種々の排出経路を取り得ることから、遊技者は、複数個の揺動面を揺動しながら進行していくという一連の遊技球の挙動について退屈感を抱くことなく楽しむことができる。その結果、興趣性を向上させた遊技機を提供できる。
【００１８】
（４）  請求項１に記載の遊技機、または、前記（１）から（３）のいずれかに記載の遊技機において、
前記排出部を備えた複数個の揺動面のうちの少なくとも１つの揺動面は、この揺動面の前記排出部を介さずに遊技球が排出されることがないように隔壁部を備えていることを特徴とする遊技機。
【００１９】
前記（４）に記載の発明によれば、排出部を備えた複数個の揺動面のうちの少なくとも１つの揺動面は、この揺動面の排出部を介さずに遊技球が排出されることがないように隔壁部を備えているので、当該揺動面においては、排出部以外から遊技球が排出されることを防止でき、必ず排出部から遊技球が揺動されて排出される。したがって、遊技者は、当該揺動面において遊技球が揺動されて排出部から排出されるという遊技球の挙動を視認できる。つまり、遊技球は揺動されて排出部から排出されるため、遊技球の排出方向範囲はある広がりを持ったものとなり、種々の排出経路を取り得ることから、遊技者は複数個の揺動面における遊技球の挙動について退屈感を抱くこと無く楽しむことができる。その結果、興趣性を向上させた遊技機を提供できる。
【００２０】
（５）  請求項１に記載の遊技機、または、前記（１）から（４）のいずれかに記載の遊技機において、
前記複数個の揺動面のうちの少なくとも１つの揺動面の前記排出部は、揺動している遊技球を排出する開口部を備えていることを特徴とする遊技機。
【００２１】
前記（５）に記載の発明によれば、複数個の揺動面のうちの少なくとも１つの揺動面の排出部は、揺動している遊技球を排出する開口部を備えているので、当該揺動面の開口部から遊技球が排出される。したがって、遊技者は、当該揺動面において揺動している遊技球を開口部から排出されるという遊技球の挙動を視認できる。つまり、揺動している遊技球は開口部から排出されるため、遊技球の排出方向範囲はある広がりを持ったものとなり、種々の排出経路を取り得ることから、遊技者は複数個の揺動面における遊技球の挙動について退屈感を抱くこと無く楽しむことができる。その結果、興趣性を向上させた遊技機を提供できる。
【００２２】
（６）  前記（５）に記載の遊技機において、
前記開口部は複数個設けられていることを特徴とする遊技機。
【００２３】
前記（６）に記載の発明によれば、複数個の揺動面のうちの少なくとも１つの揺動面の排出部は、揺動している遊技球を排出する開口部を、複数個備えているので、当該揺動面に導入された遊技球ごとに複数個の開口部のうちのいずれか１つが選択されてこの開口部から遊技球が排出される。したがって、遊技者は、当該揺動面の複数個の開口部において、揺動している遊技球が排出されるという遊技球の挙動を視認できる。つまり、複数個の開口部からある広がりを持った排出方向範囲でそれぞれ遊技球が排出され、種々の排出経路を取り得ることから、遊技者は当該揺動面における遊技球の挙動について退屈感を抱くこと無く楽しむことができる。その結果、興趣性を向上させた遊技機を提供できる。
【００２４】
（７）  前記（６）に記載の遊技機において、
前記揺動面は、その幅方向に主として遊技球が揺動されるものであり、
前記複数個の開口部は、前記揺動面の幅方向に並設されていることを特徴とする遊技機。
【００２５】
前記（７）に記載の発明によれば、揺動面は、その幅方向に主として遊技球が揺動されるものであり、複数個の開口部は、揺動面の幅方向に並設されているので、揺動面の幅方向に主として揺動する遊技球が、この揺動面の幅方向に並設された複数個の開口部のうちのいずれか１つの開口部に流入され、この開口部から遊技球が揺動されながら排出される。したがって、遊技者は、当該揺動面の幅方向に並設された複数個の開口部において、揺動している遊技球が排出されるという遊技球の挙動を視認できる。つまり、複数個の開口部からある広がりを持った排出方向範囲でそれぞれ遊技球が排出され、種々の排出経路を取り得ることから、遊技者は当該揺動面における遊技球の挙動について退屈感を抱くこと無く楽しむことができる。その結果、興趣性を向上させた遊技機を提供できる。
【００２６】
（８）  請求項１に記載の遊技機、または、前記（１）から（７）のいずれかに記載の遊技機において、
前記複数個の揺動面は、電動役物を備える遊技盤に設けられており、
前記遊技盤における前記電動役物の上方位置でこの電動役物の最も近くに位置する前記排出部は、その遊技球を排出する排出幅が、前記電動役物の開放幅と同じあるいはほぼ同じであることを特徴とする遊技機。
【００２７】
前記（８）に記載の発明によれば、複数個の揺動面は、電動役物を備える遊技盤に設けられており、遊技盤における電動役物の上方位置でこの電動役物の最も近くに位置する排出部は、その遊技球を排出する排出幅が、電動役物の開放幅と同じあるいはほぼ同じであるとしているので、電動役物が開放している場合には、当該排出部から排出された遊技球の全てがほぼ電動役物に入賞でき、遊技者は電動役物が開放した場合の遊技を安心して楽しむことができる。
【００２８】
（９）  請求項１に記載の遊技機、または、前記（１）から（８）のいずれかに記載の遊技機において、
前記複数個の揺動面のうちの少なくとも１つの揺動面は、凹凸形状となっていることを特徴とする遊技機。
【００２９】
前記（９）に記載の発明によれば、複数個の揺動面のうちの少なくとも１つの揺動面は、凹凸形状となっているので、当該揺動面で揺動する遊技球をこの揺動面の凹凸形状により上下方向にも揺動させることができ、遊技球の挙動にさらなる変化を与えることができる。したがって、遊技者は、より変化の激しい遊技球の挙動を楽しむことができる。
【００３０】
（１０）  請求項１に記載の遊技機、または、前記（１）から（９）のいずれかにに記載の遊技機において、
前記複数個の揺動面のうちの少なくとも１つの揺動面は、揺動する遊技球を前記排出部に導くための、遊技球の揺動方向に直交あるいは略直交する方向に傾斜する傾斜面を備えていることを特徴とする遊技機。
【００３１】
前記（１０）に記載の発明によれば、複数個の揺動面のうちの少なくとも１つの揺動面は、揺動する遊技球を排出部に導くための、遊技球の揺動方向に直交あるいは略直交する方向に傾斜する傾斜面を備えているので、遊技球を揺動させながらその揺動方向と直交あるいは略直交する方向に移動させて排出部に導くことができる。したがって、遊技者は、当該揺動面において遊技球が揺動されながら排出部の方へ導かれてこの排出部から排出されるという遊技球の挙動を視認できる。つまり、遊技球は揺動しながら排出部に導かれて排出されるため、遊技球の排出方向範囲はある広がりを持ったものとなり、種々の排出経路を取り得ることから、遊技者は当該揺動面における遊技球の挙動について退屈感を抱くことなく楽しむことができる。その結果、興趣性を向上させた遊技機を提供できる。
【００３２】
（１１）請求項１に記載の遊技機、または、前記（１）から（１０）のいずれかに記載の遊技機において、
前記遊技機はパチンコ機であることを特徴とする遊技機。
【００３３】
前記（１１）に記載の遊技機によれば、複数個の揺動面において揺動している遊技球が排出部から排出されるという遊技球の挙動を視認でき、楽しむことができ、遊技者の興味を引く興趣性に優れたパチンコ機を提供できる。なお、パチンコ機の基本構成としては操作ハンドルを備え、その操作ハンドルの操作に応じて遊技用媒体としての遊技球を所定の遊技領域発射し、遊技球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３４】
（１２）請求項１に記載の遊技機、または、前記（１）から（１０）のいずれかに記載の遊技機において、
前記遊技機はパチンコ機とスロットマシンとを融合させたものであることを特徴とする遊技機。
【００３５】
前記（１２）に記載の遊技機によれば、複数個の揺動面において揺動している遊技球が排出部から排出されるという遊技球の挙動を視認でき、楽しむことができ、遊技者の興味を引く興趣性に優れた、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として遊技球を使用するとともに、前記識別情報の動的表示の開始に際しては所定数の遊技球を必要とし、特別遊技状態の発生に際しては多くの遊技球が払い出されるように構成されている遊技機」となる。
【発明の効果】
【００３６】
この発明に係る遊技機によれば、遊技球が揺動可能である揺動面を備えた遊技機において、揺動面は複数個設けられており、かつ、この複数個の揺動面のうちの少なくとも一つの揺動面は、導入されて揺動している遊技球を排出するための排出部を有するので、所定の揺動面において遊技球は揺動されて排出部から排出される。したがって、遊技者は、当該揺動面において遊技球が揺動されて排出部から排出されるという遊技球の挙動を視認できる。つまり、遊技球は揺動されて排出部から排出されるため、遊技球の排出方向範囲はある広がりを持ったものとなり、種々の排出経路を取り得ることから、遊技者は複数個の揺動面における遊技球の挙動について退屈感を抱くこと無く楽しむことができる。その結果、興趣性を向上させた遊技機を提供できる。
【発明を実施するための最良の形態】
【００３７】
以下、図面を参照して本発明の実施例を説明する。
【００３８】
本実施例では、遊技機の一例として弾球遊技機の一種であるパチンコ機、特に、第１種パチンコ遊技機を用いて説明する。なお、本発明を第３種パチンコ遊技機（権利物とも呼ばれる）等の他の遊技機に用いることは、当然に可能である。
【００３９】
図１は、実施例のパチンコ機の概略正面図であり、図２はパチンコ機の遊技盤の概略正面図である。本実施例のパチンコ機Ｐは、図１に示すように、遊技盤１と、球を貯留する上受け皿２および下受け皿３と、球を遊技盤１へ発射するための発射ハンドル４とを備えている。遊技盤１は、前面枠１ａに嵌め込まれたガラス製の透明板１ｂに覆われている。
【００４０】
図２に示すように、パチンコ機Ｐの遊技盤１には、電動役物としての例えば電動チューリップ５に設けられた作動口５ａと、大入賞口６とが備えられており、遊技盤１は遊技領域を構成している。作動口５ａは、遊技球Ｂの通路を備えており、その通路入口には羽根７が開閉可能に支持されている。つまり、この電動チューリップ５の羽根７は、遊技についての所定条件が成立することにより開状態となり、それ以外では閉状態となる。なお、ここで言う「羽根７の閉状態」とは、図２からもわかるように、遊技球Ｂが全く入力されない状態ではなく、遊技球Ｂが１個分流入可能な状態、つまり、例えば１個分の遊技球Ｂが入力可能な程度に少し開いている状態のことを言う。
【００４１】
また、大入賞口６の前には、シャッタ８が設けられている。このシャッタ８は、大入賞口６の側部に設けられた図示しない大入賞口用ソレノイドにより作動させられ、大入賞口６を開閉する。詳しくは、当該ソレノイドが励磁状態となることにより、シャッタ８が略水平に傾き、これにより大入賞口６が開かれる。また、ソレノイドが非励磁状態となることにより、シャッタ８が略垂直状態となり、これにより大入賞口６は閉鎖される。
【００４２】
遊技盤１の中央部分（大入賞口６の上方）には、可変表示装置としての特別図柄表示装置（以下、単に「表示装置」という）９が組込まれている。表示装置９は、液晶ディスプレイ（ＬＣＤ）よりなる表示部９ａを備えており、ここに複数の（例えば３つの）図柄列が表示される。図柄列は、基本的には、複数種類の図柄によって構成されている。これらの図柄は、特別遊技図柄としての大当たり図柄、外れリーチ図柄及び外れ図柄のいずれかになりうる。
【００４３】
表示装置９の表示部９ａでは、各図柄列の図柄変動（回転変動）が、遊技球Ｂの作動口５ａへの入賞に基づいて開始させられる。また、大当たり図柄、外れリーチ図柄、外れ図柄の中から１つが選択され、これが停止図柄として設定される。停止図柄とは、各図柄列が図柄変動を停止したときに表示される図柄である。
【００４４】
大当たり図柄は、いわゆるリーチ状態を経た後、遊技者に有利な大当たり状態を発生させるための図柄である。詳しくは、全ての図柄列の変動が停止させられたとき、表示されている図柄の組合せが、予め定められた大当たりの組合せ、すなわち、同一種類の図柄が大当たりラインに沿って並んでいるときの同図柄の組合せ（例えば、「７」、「７」、「７」の図柄）となる場合がある。この組合せを構成する図柄が「大当たり図柄」である。大当たりの組合せが成立すると、特別電動役物が作動し（大入賞口６が開かれ）、遊技者にとって有利な大当たり状態の到来、すなわち、より多くの賞球を獲得することが可能となる。
【００４５】
表示装置９において、表示部９ａの上方には、発光ダイオード（ＬＥＤ）からなる保留ランプ１０ａ，１０ｂ，１０ｃ，１０ｄが組み込まれている。保留ランプ１０ａ〜１０ｄは、基本的には作動口５ａへの入賞に基づく変動表示の保留毎に点灯させられ、その保留に対応した変動表示の実行に伴い消灯させられる。さらに、パチンコ機Ｐには、遊技の進行に応じて効果音を発生する図示しないスピーカが設けられている。
【００４６】
このほかにも、パチンコ機Ｐの複数箇所には、遊技効果を高めるための各種ランプが取り付けられている。これらのランプは、例えばランプ風車１１、上部ランプ飾り１２（図１参照）、下部ランプ飾り１３等からなり、遊技の進行に応じて点灯状態（消灯、点灯、点滅等）が適宜変えられるようになっている。なお、上部ランプ飾り１２には、遊技者に球切れ状態や入賞状態を報知すべく、球切れランプ及び入賞ランプなどが内蔵されている。
【００４７】
本実施例のパチンコ機Ｐでは、遊技者の操作に応じて変化するパチンコ機Ｐの遊技状態を検出するべく、遊技盤１には、種々の検出スイッチが取り付けられている。これら検出スイッチにより、遊技球Ｂの作動口５ａへの入賞や、大入賞口６への入賞が検出されるようになっている。また、本実施の形態では、各検出スイッチの検出結果に基づきソレノイドや、表示装置９、各保留ランプ１０ａ〜１０ｄ、各種ランプ１１〜１３、スピーカ等をそれぞれ駆動制御するために制御装置が設けられている。制御装置は、読み出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。
【００４８】
ここで、本発明の特徴部分の１つである構成について、図３〜図７を用いて以下に説明する。図３は、実施例のパチンコ機のセンターフレームの概略斜視図であり、図４はセンターフレームの概略正面図であり、図５はセンターフレームの概略上面図であり、図６はセンターフレームの概略側面図であり、図７は図４に示したセンターフレームのＡ−Ａ線断面図である。
【００４９】
図２に示すように、上述した表示装置９は、表示部９ａの前方において、この表示部９ａを囲むようにして設けられたセンターフレーム２１を有している。図３，図５，図６に示すように、このセンターフレーム２１は、特別遊技領域を構成しており、後部において表示装置９が取り付けられるようになっている。図３，図４に示すように、センターフレーム２１は、天井部２３、左右両側の側部２４及び下部２５を有している。
【００５０】
まず、天井部２３について説明する。図３に示すように、天井部２３の中央部には透明な天飾り２６が設けられ、その天飾り２６の後部（奥側）には遊技球Ｂが案内されうる入口部２７が２つ左右方向に並べて設けられている。天井部２３の入口部２７以外の箇所に当たった遊技球Ｂは、この天井部２３により左右両側方へと案内されるようになっている。
【００５１】
続いて、下部２５について説明する。下部２５の上面は、第１ステージ２９となっており、天井部２３の入口部２７に入力された遊技球Ｂが後述する遊技球通路３１を通ってこの第１ステージ２９上に供給されるようになっている。また、この第１ステージ２９の下方位置には、第２ステージ３０が設けられていて、第１ステージ２９からの遊技球Ｂが第２ステージ３０に供給されるようになっている。つまり、この第１，第２ステージ２９，３０は、上下方向に二段に並設されており、第１ステージ２９，第２ステージ３０の順番に遊技球Ｂが進行していくように関連付けて接続されているのである。また、図３，図４に示すように、この第１，第２ステージ２９，３０は、上述の順番に従って小さくなっている。つまり、第１ステージ２９の幅よりも第２ステージ３０の幅の方が小さくなっており、第１ステージ２９よりも第２ステージ３０の方が、面積が小さくなっている。なお、第１，第２ステージ２９，３０は、これらのステージにおける遊技球Ｂの挙動が遊技者により視認できるようになっている。
【００５２】
さらに、左右両側の側部２４について説明する。天井部２３から左右両側の側部２４にかけて、入口部２７及び第１ステージ２９間を連通する遊技球通路３１が形成されている。この遊技球通路３１は、天井部２３に設けられた第１遊技球通路３２と、側部２４に設けられて、第１遊技球通路３２からの遊技球Ｂが入力されて第１ステージ２９上に出力する第２遊技球通路３３とを備えている。第１遊技球通路３２は、遊技者が通過中の遊技球Ｂを視認できるよう透明部材で覆われるようにして構成されている。第２遊技球通路３３は、遊技者が通過中の遊技球Ｂを視認困難となるようカバーで覆われるようにして構成されている。従って、入口部２７に入った遊技球Ｂは、図３，図７に破線で示すように、第１遊技球通路３２を通り（このとき、遊技球Ｂの視認が可能となっている）、そして第２遊技球通路３３を通って（このとき、一時的に遊技球Ｂの視認が困難となる）、第１ステージ２９上へと案内される。なお、図３では、センターフレーム２１の左側の遊技球通路３１（第１遊技球通路３２と第２遊技球通路３３とからなる）での遊技球Ｂの通過経路を破線で示しているが、センターフレーム２１の右側の遊技球通路３１での遊技球Ｂの通過経路についても同様となっているため破線での図示を省略している。なお、表示装置９の両側には飾りレンズ２８が設けられている。
【００５３】
なお、図５に示すように、一点鎖線示すラインが遊技盤１の盤面であることから、センターフレーム２１のうちで図５の一点鎖線より下側の部分が遊技盤１の盤面から突出している部分である。同様に、図６に示すように、一点鎖線示すラインが遊技盤１の盤面であることから、センターフレーム２１のうちで図６の一点鎖線より左側の部分が遊技盤１の盤面から突出している部分である。
【００５４】
ここで、上述したセンターフレーム２１の下部２５の第１，第２ステージ２９，３０について、図８〜図１１を用いて詳細に説明する。図８は、実施例のセンターフレームの第１ステージの概略斜視図である。図９（ａ）は、第１ステージの概略上面図であり、図９（ｂ）は、第１ステージの概略正面図であり、図９（ｃ）は、第１ステージの概略側面図である。図１０は、実施例のセンターフレームの第２ステージの概略斜視図である。図１１（ａ）は、第２ステージの概略上面図であり、図１１（ｂ）は、第２ステージの概略正面図であり、図１１（ｃ）は、第２ステージの概略側面図である。
【００５５】
図３，図７に示すように、センターフレーム２１の下部２５は、この下部２５の上面に相当する第１ステージ２９と、この第１ステージ２９の下方位置に並設された第２ステージ３０とを有している。天井部２３の入口部２７に入力されて遊技球通路３１を通ってきた遊技球Ｂは、図３，図７に矢印で示すように、第１ステージ２９に供給される。
【００５６】
図８に示すように、第１ステージ２９は、遊技球Ｂが揺動する揺動領域３４と、この揺動領域３４で揺動している遊技球Ｂを排出するための排出領域３５とが形成されている。揺動領域３４は、導入されてきた遊技球Ｂを主として特定方向（横方向）に揺動させるための、遊技球Ｂの１個分程度の幅を有する主揺動領域３６を備えている。第１ステージ２９の排出領域３５には、遊技球Ｂが流入可能で、導入されて揺動している遊技球Ｂを排出する開口部を複数個（本実施例では３個）備えている。これらの３個の開口部は、遊技者にとって有利である開口部としての第１開口部３７を１つと、それよりも利益の劣る開口部としての第２開口部３８を２つとからなる。
【００５７】
第１開口部３７と第２開口部３８とは大きさの異なる長穴形状としたものであり、第１開口部３７よりも第２開口部３８の方が大きくなっている。第１開口部３７は、その長手方向が遊技球の揺動方向に対して垂直（あるいは略垂直であってもよい）に設けられている。第２開口部３８は、その長手方向が遊技球の揺動方向に対して平行（あるいは略平行であってもよい）に設けられている。また、第１開口部３７は、例えば、遊技球Ｂが１個半程度同時に流入可能な大きさとなっている。第２開口部３８は、例えば、遊技球Ｂを２個並べて状態で同時に流入可能な大きさとなっている。
【００５８】
第１ステージ２９は、主として幅方向に遊技球Ｂが揺動するよう流入され、この第１ステージ２９の揺動領域３４の少なくとも一部が、幅方向と直交する奥行き方向で手前側が低くなるように傾斜した傾斜面４０を有するとともに、排出領域３５が傾斜面４０の下端部と連接されているものとなっている。
【００５９】
第１開口部３７は、その周囲の一部に遊技球Ｂの流入を阻止するリブ４１が設けられている。図９（ａ）に示すように、第１開口部３７は、流入してきた遊技球Ｂを第２ステージ３０の奥方向に送出するための第１案内部材４２が設けられている。また、図８，図９（ａ）に示すように、第１開口部３７の周囲のうちでリブ４１を除く箇所には、遊技球Ｂを第１開口部３７に導くために、揺動領域３４の傾斜面４０から第１開口部３７に傾斜する傾斜案内部４０ａが設けられている。揺動領域３４を揺動してきた遊技球Ｂが傾斜案内部４０ａに来ると、その遊技球Ｂはこの傾斜案内部４０ａの傾斜により第１開口部３７に流入するように導かれる場合が多い。
【００６０】
図９（ａ）に示すように、第２開口部３８は、流入してきた遊技球Ｂを第２ステージ３０の奥方向に送出するための、奥側に突出した第２案内部材４３が設けられている。
【００６１】
また、図３，図８に示すように、第１ステージ２９の手前側の両サイドには、隔壁部４４が設けられており、第１ステージ２９に導入された遊技球Ｂが第１，第２開口部３７，３８に流入することなく直接に遊技盤１に排出されることを防止している。つまり、遊技球Ｂが揺動領域３４の隔壁部４４を乗り越えて遊技盤１に飛び出していかないようになっている。したがって、第１ステージ２９に導かれた遊技球Ｂは、全て第１ステージ２９の第１，第２開口部３７，３８を介して第２ステージ３０に導かれるようになっている。
【００６２】
続いて、第１ステージ２９の下方位置にある第２ステージ３０について説明する。図３，図４に示すように、第２ステージ３０は、この第１ステージ２９から導入されて揺動される遊技球Ｂを遊技盤１に排出するための、手前側に向かって開口された排出口６０を備えている。この排出口６０の下部側には、後述する凸部５０，凹部５１，案内溝５４の先端部が位置している。また、図２に示すように、第２ステージ３０の幅方向（横方向）の長さは、電動チューリップ５の羽根７の開放幅（羽根７が開いた状態の長さ）と同じ（あるいはほぼ同じであってもよい）になっている。
【００６３】
図１１（ｂ）に示すように、第２ステージ３０は、幅方向（横方向）にて連続的に高さが異なっており、つまり凹凸形状となっている。具体的には、第２ステージ３０は、そのほぼ中央部は山状の凸部５０となっており、その左右両側は凸部５０よりも低い凹部５１となっている。さらに、この凸部５０および凹部５１からなる面は、図１１（ｃ）に示すように、手前側ほど低い傾斜面５３となっている。つまり、この傾斜面５３は、遊技球Ｂの揺動方向に直交（あるいは略直交）する方向で手前側が低くなるように傾斜しているのである。
【００６４】
一方、凸部５０の頂部には、図１０，図１１に示すように、遊技球Ｂの流下経路を決定する案内溝５４が形成されている。図３，図４に示すように、この案内溝５４は、第１ステージ２９の第１開口部３７の真下位置に設けられている。図１０，図１１に示すように、第２ステージ３０の案内溝５４は、第１溝幅で手前側に位置する第１案内溝５５と、この第１溝幅よりも広い第２溝幅（例えば、遊技球Ｂの直径程度の幅）で奥側に位置する第２案内溝５６とを奥行き方向に連結して形成されている。この第２案内溝５６に沿ってリブ５７が形成されている。このリブ５７により、第２案内溝５６に乗っている遊技球Ｂが横方向から外れていかないように規制されていて、さらに、第１案内溝５５に沿ってこの第１案内溝５５の方向に安定して遊技盤１に再び送出されるようになっている。
【００６５】
なお、第１ステージ２９の第１開口部３７よりも第２開口部３８の方に多くの遊技球Ｂが流入する点と、第２ステージ３０の凹部５１が凸部５０よりも低くなっている点と、第２ステージ３０の案内溝５４よりも凹部５１の方が幅広になっている点などの要素から、多くの遊技球Ｂがこの第２ステージ３０の凹部５１から前方（手前側）へ導出されて再度遊技盤１に送出されるようになっている。また、この第２ステージ３０の凹部５１から前方（手前側）へ遊技球Ｂが導出される際には、遊技球Ｂは凹部５１で横方向に揺動されながら前方（手前側）へ導出される。
【００６６】
さらに、図７に示すように、この第２ステージ３０の案内溝５４の奥側には、奥側に窪む横穴部５８が形成されている。第２案内溝５６の奥側の先端部分は、この横穴部５８に入り込んでいる。第２ステージ３０の案内溝５４の奥側に横穴部５８を設けることで、第１ステージ２９の第１開口部３７を通過した遊技球Ｂが第２ステージ３０の案内溝５４から手前側に円滑に排出されるようになっている。つまり、第１開口部３７を通過する遊技球Ｂは、この第１開口部３７の案内部材によって第２ステージの奥側の横穴部５８に向けて送出され、一旦この横穴部５８の内部に案内され、今度は逆に横穴部５８から手前側に送出されるよう案内溝５４にそって導出される。
【００６７】
図２に示すように、第２ステージの案内溝５４は、作動口５ａの直上方に設けられており、この案内溝５４から再度遊技盤１に排出された遊技球Ｂは比較的高い確率で作動口５ａに入賞しやすく構成されている。
【００６８】
また、遊技盤１には多数の釘が植設されているが、センターフレーム２１の第１，第２ステージ２９，３０とこれに近い位置等の釘との距離が大きく、しかもその釘よりも上方位置に第１，第２ステージ２９，３０が位置しているので、これら釘に当たった一部の遊技球Ｂが、上述の遊技球通路３１を通らずに、ジャンプして第１，第２ステージ２９，３０へと導かれる場合はない。
【００６９】
なお、上述した第１，第２ステージ２９，３０が本発明における揺動面に相当し、上述した第１ステージ２９の開口部（第１，第２開口部３７，３８），第２ステージ３０の排出口６０が本発明における排出部に相当し、上述した電動チューリップ５が本発明における電動役物に相当する。
【００７０】
ここで、本実施例のパチンコ機Ｐの遊技盤１での遊技球Ｂの挙動、特に、センターフレーム２１内での遊技球Ｂの挙動について説明する。
【００７１】
図１に示すように、遊技者の発射ハンドル４の操作により、遊技球Ｂが遊技盤１の上部に打ち込まれる。そして、遊技盤１の上部に打ち込まれた遊技球Ｂは、図３に示すように、入口部２７からセンターフレーム２１内へと案内される場合がある。この入口部２７から案内された遊技球Ｂは、遊技球通路３１を通って第１ステージ２９の主揺動領域３６へと案内される。遊技球は、第１ステージ２９の主揺動領域３６で揺動するように揺動（左右に往復動）し、その後この第１ステージ２９の傾斜面４０によって排出領域３５に揺動し、排出領域３５の第１，第２開口部３７，３８のいずれかが選択されて流入する。このように第１，第２開口部３７，３８によって遊技球Ｂの流下経路が決定されて、第１ステージ２９の下方位置の第２ステージ３０にそれぞれの流下経路に従って遊技球Ｂが送出される。
【００７２】
なお、第１開口部３７の周囲のリブ４１により、遊技球Ｂの第１開口部３７への流入が阻止される場合がある。また、第１開口部３７のリブ４１は第２開口部３８への案内部材ともなっているため、第２開口部３８により多くの遊技球Ｂが流入するようになっている。遊技者は、上述したように遊技球Ｂの第１ステージ２９での挙動を視認し、楽しむことができる。
【００７３】
ここで、遊技球Ｂが第１ステージ２９の第１開口部３７に流入した場合と、遊技球Ｂが第１ステージ２９の第２開口部３８に流入した場合とについて、個別に説明する。
【００７４】
例えば、遊技球Ｂが第１ステージ２９の第１開口部３７に流入した場合には、この第１開口部３７の第１案内部材４２により、遊技球Ｂが第２ステージ３０の奥側の横穴部５８に向けて送出される。第２ステージ３０の奥側の横穴部５８に送出された遊技球Ｂは、今度は逆に横穴部５８から手前側に案内溝５４にそって再度遊技盤１に導出される。第２ステージの案内溝５４は、作動口５ａの直上方に設けられているため、この案内溝５４から再度遊技盤１に排出された遊技球Ｂは比較的高い確率で作動口５ａに入賞するようになっている（図２参照）。遊技者は、上述したように第１ステージ２９に続いて第２ステージ３０の案内溝５４で案内される遊技球Ｂの挙動を視認し、大いなる利益感を持って楽しむことができる。
【００７５】
例えば、遊技球Ｂが第１ステージ２９の第２開口部３８に流入した場合には、この第２開口部３８の第２案内部材４３により、遊技球Ｂが第２ステージ３０の凹部５１上で奥側に向けて送出される。第２ステージ３０の凹部５１上で奥側に向けて送出された遊技球Ｂは、この凹部５１上を今度は逆に奥側から手前側に揺動しつつ横方向に揺動しながらこのセンターフレーム２１の第２ステージ３０の凹部５１から再度遊技盤１に導出される。つまり、流下方向が決定されて導出されるのである。第２ステージの凹部５１は、作動口５ａの直上方から横方向（左右方向）にずれた位置に設けられているため、この凹部５１から再度遊技盤１に排出された遊技球Ｂは作動口５ａに入賞しにくくなっている（図２参照）。
【００７６】
なお、第１ステージ２９の第２開口部３８に流入した場合であっても、この第２開口部３８に流入した遊技球Ｂが第２ステージ３０の曲面状の側壁５９に案内されて第２ステージ３０の案内溝５４上に乗ったり、あるいは行き過ぎて他方の凹部５１まで到達してしまったりする場合もある。また、凹部５１から排出された遊技球Ｂは、遊技盤１の釘に衝突することなどで比較的低い確率ではあるが作動口５ａに入賞する場合もある。遊技者は、上述したように第１ステージ２９に続いて第２ステージ３０の凹部５１で案内される遊技球Ｂの挙動を視認し、僅かに残された期待感を持って楽しむことができる。
【００７７】
上述したように本実施例のパチンコ機Ｐによれば、遊技球Ｂが揺動可能で遊技球Ｂの挙動を遊技者が視認できる複数個の揺動面（ステージ）として第１，第２ステージ２９，３０が設けられ、この第１，第２ステージ２９，３０は、導入されて揺動している遊技球Ｂを排出するための排出部を有する（第１ステージ２９では第１，第２開口部３７，３８を、第２ステージ３０では排出口６０を備えている）ので、各第１，第２ステージ２９，３０において遊技球Ｂは揺動されて排出部（第１，第２開口部３７，３８、排出口６０）から排出される。したがって、遊技者は、揺動している遊技球Ｂが第１，第２開口部３７，３８，排出口６０から排出されるという遊技球Ｂの挙動を視認できる。つまり、揺動している遊技球Ｂは排出部から排出されるため、遊技球Ｂの排出方向範囲はある広がりを持ったものとなり、種々の排出経路を取り得ることから、遊技者は第１，第２開口部３７，３８における遊技球Ｂの挙動について退屈感を抱くこと無く楽しむことができる。その結果、興趣性を向上させた遊技機を提供できる。
【００７８】
本実施例では、第２ステージ３０の案内溝５４に対応して第１ステージ２９の第１開口部３７が設けられており、遊技球Ｂが第１ステージ２９の第１開口部３７に流入する場合がある。また、第１ステージ２９の第２開口部３８に流入した遊技球Ｂが第２ステージ３０の案内溝５４に乗る場合もある。このため、遊技球Ｂが第１開口部３７に流入する場合や、遊技球Ｂが第２開口部３８に流入して第２ステージ３０の案内溝５４に乗る場合には、遊技者は、自身にとって何らかの好ましいことが起こるのではないかと期待感をもって遊技を行いうる。従って、いずれの場合にもほぼ同様の挙動によって単にステージから遊技球が落下するに過ぎなかった従来技術に比べて、遊技者は、遊技球Ｂが第１ステージ２９の第１開口部３７を通過する、あるいは第２ステージ３０の案内溝５４の乗ることを期待しつつ、はらはらどきどきしながら遊技を行うことができる。その結果、遊技球Ｂが似通った挙動を示すことによる退屈感を抑制することができ、興趣の飛躍的な向上を図ることができる。
【００７９】
また、第１，第２ステージ２９，３０は、それらの第１，第２ステージ２９，３０を特定の順番に遊技球Ｂが進行していくように関連付けて接続されているので、それらの第１，第２ステージ２９，３０を遊技球Ｂが揺動しながら順次に進行していく。つまり、第１ステージ２９で揺動される遊技球Ｂが排出されて第２ステージ３０に導入され、この遊技球Ｂは第２ステージ３０においても揺動されて外へ排出される。したがって、遊技球Ｂは各第１，第２ステージ２９，３０において揺動されて排出部（第１，第２開口部３７，３８、排出口６０）から排出されるため、各第１，第２ステージ２９，３０での遊技球Ｂの排出方向範囲はある広がりを持ったものとなり、各第１，第２ステージ２９，３０で種々の排出経路を取り得ることから、遊技者は、第１，第２ステージ２９，３０を揺動しながら進行していくという一連の遊技球Ｂの挙動について退屈感を抱くこと無く楽しむことができる。
【００８０】
また、第１，第２ステージ２９，３０は、これらの第１，第２ステージ２９，３０についての遊技球Ｂが通過する順番に従って小さくなっているので、遊技球Ｂが次のステージに進行するに従って、遊技球Ｂの排出方向範囲は徐々に狭くなっていき、最後のステージ（第２ステージ３０）の排出部（第１，第２開口部３７，３８、排出口６０）から所望の方向に遊技球Ｂが排出されるのではないかという期待感も徐々に高まっていくことから、さらにワクワク感を持って遊技を楽しむことができる。その結果、興趣性をさらに向上させた遊技機を提供できる。
【００８１】
また、第１，第２ステージ２９，３０は上下方向に並設されており、この上下方向に並設された第１，第２ステージ２９，３０は、それらの第１，第２ステージ２９，３０を特定の順番に遊技球Ｂが進行していくように関連付けて接続されているので、それらの第１，第２ステージ２９，３０を遊技球Ｂが揺動しながら順次に進行していく。つまり、遊技球Ｂが第１ステージ２９で揺動されて排出されて第２ステージ３０に導入され、この遊技球Ｂは第２ステージ３０においても揺動されて外へ排出される。したがって、遊技球Ｂは各第１，第２ステージ２９，３０において揺動されて排出部（第１，第２開口部３７，３８、排出口６０）から排出されるため、各第１，第２ステージ２９，３０での遊技球Ｂの排出方向範囲はある広がりを持ったものとなり、各第１，第２ステージ２９，３０で種々の排出経路を取り得ることから、遊技者は、第１，第２ステージ２９，３０を揺動しながら進行していくという一連の遊技球Ｂの挙動について退屈感を抱くことなく楽しむことができる。
【００８２】
また、第１ステージ２９は、第１，第２開口部３７，３８を介さずに遊技球Ｂが排出されることがないように隔壁部４４を備えているので、第１ステージ２９においては、排出部以外から遊技球Ｂが排出されることを防止でき、必ず排出部から遊技球Ｂが揺動されて排出される。
【００８３】
また、第１ステージ２９は、揺動している遊技球Ｂを排出する第１，第２開口部３７，３８を備えているので、第１ステージ２９の第１，第２開口部３７，３８から遊技球Ｂが揺動されて排出される。したがって、遊技者は、第１ステージ２９において遊技球Ｂが揺動されて第１，第２開口部３７，３８から排出されるという遊技球Ｂの挙動を視認できる。つまり、遊技球Ｂは揺動されて第１，第２開口部３７，３８から排出されるため、遊技球Ｂの排出方向範囲はある広がりを持ったものとなり、種々の排出経路を取り得ることから、遊技者は第１，第２ステージ２９，３０における遊技球Ｂの挙動について退屈感を抱くこと無く楽しむことができる。
【００８４】
また、第１ステージ２９は、複数個の開口部としての第１，第２開口部３７，３８を備えているので、第１ステージ２９に導入された遊技球Ｂごとに第１，第２開口部３７，３８のうちのいずれか１つが選択されて揺動している遊技球Ｂが排出される。したがって、遊技者は、第１ステージ２９の第１，第２開口部３７，３８において、揺動している遊技球Ｂが排出されるという遊技球Ｂの挙動を視認できる。
【００８５】
また、第１ステージ２９は、その幅方向に主として遊技球Ｂが揺動されるものであり、第１，第２開口部３７，３８は、第１ステージ２９の幅方向に並設されているので、第１ステージ２９の幅方向に主として揺動する遊技球Ｂが、この第１ステージ２９の幅方向に並設された第１，第２開口部３７，３８のうちのいずれか１つに流入されて排出される。したがって、遊技者は、第１ステージ２９の幅方向に並設された第１，第２開口部３７，３８において、揺動している遊技球Ｂが排出されるという遊技球Ｂの挙動を視認できる。つまり、第１，第２開口部３７，３８からある広がりを持った排出方向範囲でそれぞれ遊技球Ｂが排出され、種々の排出経路を取り得ることから、遊技者は第１ステージ２９における遊技球Ｂの挙動について退屈感を抱くこと無く楽しむことができる。その結果、興趣性を向上させた遊技機を提供できる。
【００８６】
また、第２ステージ３０は、遊技球Ｂを排出する排出幅が、電動チューリップ５の開放幅と同じあるいはほぼ同じであるとしているので、電動チューリップ５が開放している場合には、第２ステージ３０から排出された遊技球Ｂの全てがほぼ電動チューリップ５に入賞でき、遊技者は電動チューリップ５が開放した場合の遊技を安心して楽しむことができる。
【００８７】
また、第２ステージ３０は、その幅方向が凹凸形状となっているので、第２ステージ３０で揺動する遊技球Ｂをこの凹凸形状により上下方向にも揺動させることができ、遊技球Ｂの挙動にさらなる変化を与えることができる。したがって、遊技者は、より変化の激しい遊技球Ｂの挙動を楽しむことができる。
【００８８】
また、第１，第２ステージ２９，３０は、揺動する遊技球Ｂを排出部（第１，第２開口部３７，３８、排出口６０）に導くための、遊技球Ｂの揺動方向に直交あるいは略直交する方向に傾斜する傾斜面４０，５３を備えているので、遊技球Ｂを揺動させながらその揺動方向と直交あるいは略直交する方向に移動させて排出部（第１，第２開口部３７，３８、排出口６０）に導くことができる。したがって、遊技者は、第１，第２ステージ２９，３０において揺動している遊技球Ｂが排出部の方へ導かれて排出されるという遊技球Ｂの挙動を視認できる。遊技者は第１，第２ステージ２９，３０における遊技球Ｂの挙動について退屈感を抱くことなく楽しむことができる。
【００８９】
本発明は、上記実施形態に限られることはなく、下記のように変形実施することができる。
【００９０】
（１）上述の実施例では、遊技盤１に用いられる一部品としてのセンターフレーム２１に複数個のステージ（第１，第２ステージ２９，３０）を設けているが、遊技盤１に用いられるその他の部品や、遊技盤１自体に直接に設けるようにしてもよい。
【００９１】
（２）上述の実施例では、複数個のステージ（第１，第２ステージ２９，３０）を上下方向に並設しているが、複数個のステージを横方向に設けるようにしてもよい。
【００９２】
（３）上述した実施例では、２個のステージ（第１，第２ステージ２９，３０）を備えているが、３個以上のステージを備えるようにしてもよい。
【００９３】
（４）本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【００９４】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【００９５】
以上のように、この発明は、パチンコ機やスロットマシン等の遊技機に適している。
【図面の簡単な説明】
【００９６】
【図１】本発明の実施例のパチンコ機の概略正面図である。
【図２】パチンコ機の遊技盤の概略正面図である。
【図３】実施例のパチンコ機のセンターフレームの概略斜視図である。
【図４】センターフレームの概略正面図である。
【図５】センターフレームの概略上面図である。
【図６】センターフレームの概略側面図である。
【図７】図４に示したセンターフレームのＡ−Ａ線断面図である。
【図８】実施例のセンターフレームの第１ステージの概略斜視図である。
【図９】（ａ）は第１ステージの概略上面図であり、（ｂ）はその概略正面図であり、（ｃ）はその概略側面図である。
【図１０】実施例のセンターフレームの第２ステージの概略斜視図である。
【図１１】（ａ）は第２ステージの概略上面図であり、（ｂ）はその概略正面図であり、（ｃ）はその概略側面図である。
【符号の説明】
【００９７】
１  …  遊技盤
５  …  電動チューリップ（電動役物）
２９  …  第１ステージ（揺動面）
３０  …  第２ステージ（揺動面）
３７  …  第１開口部（排出部，開口部）
３８  …  第２開口部（排出部，開口部）
４０  …  傾斜面
４４  …  隔壁部
５３  …  傾斜面
６０  …  排出口（排出部）
【図１】
2004160190.tif 000003
【図２】
2004160190.tif 000004
【図３】
2004160190.tif 000005
【図４】
2004160190.tif 000006
【図５】
2004160190.tif 000007
【図６】
2004160190.tif 000008
【図７】
2004160190.tif 000009
【図８】
2004160190.tif 000010
【図９】
2004160190.tif 000011
【図１０】
2004160190.tif 000012
【図１１】
2004160190.tif 000013